(57)【要約】      （修正有）【課題】椅子に腰掛けたりソファに横座りなどして毛布を上掛け使用する場合でも、足先が毛布にて包み込まれる部分ができるようにし、使用者の足先周りに対して良好な保温効果を有する毛布を提供する。【解決手段】毛布本体２の袖部材３が配されている側の面であって、袖部材３が取り付けられている孔からの距離で長くとも袖部材の袖口が達する位置に開口を配した袋部を設け、毛布本体２を上掛けしたときの使用者側の面であって、上掛けして袖部材３に腕通ししたときの使用者の足に対応する部分となる毛布本体２の下部側に、使用者の足を差し入れできる開放部分がある足入れ用袋部５を設けた。【選択図】図１
0003159049.tif 000002
【実用新案登録請求の範囲】
【請求項１】
略方形の毛布本体に、該毛布本体を上掛けする使用者の肩位置に対応した部分にして使用者が腕入れできる孔が設けられ、毛布本体を上掛けしたときの使用者側の面とは反対側となる面に配置される袖部材が前記孔に取り付けられて、前記孔から袖部材に腕通しできる袖付きの毛布において、
毛布本体の袖部材が配されている側の面であって、前記袖部材が取り付けられている前記孔からの距離で長くとも袖部材の袖口が達する位置に開口を配した袋部が設けられ、毛布本体を上掛けしたときの使用者側の面であって、上掛けして袖部材に腕通ししたときの使用者の足に対応する部分となる毛布本体の下部側に、使用者の足を差し入れできる開放部分がある足入れ用袋部が設けられていることを特徴とする毛布。
【請求項２】
上記袖部材に腕通しして毛布本体を上掛けするときの肩掛けする側の辺を天としこの天となる辺と対向する辺を地とする天地方向において、上記足入れ用袋部の位置は、上記袋部の位置に対して前記地となる辺側にあって、袋部の位置と足入れ用袋部の上記開放部分の位置とが非オーバーラップ状態で天地方向で離間している請求項１に記載の毛布。
【考案の詳細な説明】
【技術分野】
【０００１】
本考案は、椅子に腰掛けたり、またソファに横座りしたりしているときなどに寒さ避けとして利用できる毛布に関するものである。
【背景技術】
【０００２】
従来から、毛布は就寝時に寒さ避けとして用いられているが、毛布自体が取り扱い易いものであることから、リビングなどでの簡易な寒さ避けのために上掛けとして用いられている。そして、椅子に腰掛けた状態やソファに上半身を起こし横座りした状態でも家電操作のリモコンを取り扱ったり読書をしたりするなどして腕を自由に動かしており、その場合でも毛布が柔軟であるために腕を動かすときに大きな妨げになることはないものである。
【０００３】
このようにリビングなどでの簡易な防寒用具としても毛布は有用なものとなっているが、前述したように腕を動かすことを大きく妨げることはないものの、腕を動かすことで毛布が肩口からずり落ちたりし易く、椅子に腰かけたりソファに横座りなどして毛布を上掛けとして使用している使用者の首周りや肩口などが冷えないように頻繁に毛布の上部側を肩側に掛けるようにしている。
【０００４】
そこで椅子やソファに腰掛けるなどして毛布を上掛けしている使用者が自由に腕を動かしても上半身側で毛布がずれ難くするために、そして、腕が毛布で覆われた状態のままでその腕を動かすことができるようにする工夫として、非特許文献１に示されているように、略方形の毛布本体を上掛けする使用者の肩位置に対応した部分に、使用者が腕入れできる孔を設け、毛布本体を上掛けしたときの使用者側の面とは反対側となる面に配置される袖部材を前記孔に取り付けて、その孔から袖部材に腕通しできるようにした毛布が提案されている。
【０００５】
また、毛布を利用してガウンを構成する手法の一つとして、特許文献１に示すように、袖部材を取り付ける構造ではないが、毛布の一辺の両端部を丸めて腕通しできる部分を設けるようにした工夫がある。そして、特許文献２に示されているように、毛布ではないが、コートを使用者の前面側から袖に腕通しして着用することでそのコートを上掛けとして利用できるようにした工夫も提案されている。
【０００６】
毛布の使い勝手の良さから上述したように寝具以外の用途としたときの工夫が色々提案されているが、もちろん、寝具として毛布を使用する場合においても、その毛布の保温効果をより一層高める目的として、特許文献３、４に示されているように、ベッドや布団に寝ている人の足を差し入れることのできるポケットを毛布に設けたり、その毛布の足元側となる部分に折り返しからなる袋部を設ける工夫も提案されている。
【先行技術文献】
【特許文献】
【０００７】
【特許文献１】実用新案登録第３００１４０３号公報
【特許文献２】実用新案登録第３１０９５３２号公報
【特許文献３】特開平０７−２５０７５０号公報
【特許文献４】特開２００２−１３６４０８号公報
【非特許文献】
【０００８】
【非特許文献１】ｈｔｔｐ：／／ｗｗｗ．ｔｈｅｓｌａｎｋｅｔ．ｃｏｍ／ｉｎｄｅｘ．ｐｈｐ？ｐａｔｈ＝ｔｈｅ＿ｐｒｏｄｕｃｔ
【考案の概要】
【考案が解決しようとする課題】
【０００９】
椅子に腰掛けたりソファ上で横たえたりして腕の自由を確保した形で毛布をよりよく利用できる工夫が上述ように提案されている。しかし、椅子に腰掛けたりソファに座ったりしてこの毛布を上掛けする使用者の足先については、毛布本体が単に足に沿って位置しているだけであり、そして、毛布を上掛けしている使用者は無意識に足先を動かしていることが多く、毛布と足先とが頻繁に離れることでその足先周りに冷えた空気を引き込み易くなっていて、足先周りの保温効果がそれほど期待できないという問題がある。
【００１０】
そこで、本考案は上記事情に鑑み、椅子に腰掛けたりソファに横座りなどして毛布を上掛け使用する場合でも、足先が毛布にて包み込まれる部分ができるようにすることを課題とし、使用者の足先周りに対して良好な保温効果を有する毛布を提供することを目的とするものである。
【課題を解決するための手段】
【００１１】
本考案は上記課題を考慮してなされたもので、略方形の毛布本体に、該毛布本体を上掛けする使用者の肩位置に対応した部分にして使用者が腕入れできる孔が設けられ、毛布本体を上掛けしたときの使用者側の面とは反対側となる面に配置される袖部材が前記孔に取り付けられて、前記孔から袖部材に腕通しできる袖付きの毛布において、
毛布本体の袖部材が配されている側の面であって、前記袖部材が取り付けられている前記孔からの距離で長くとも袖部材の袖口が達する位置に開口を配した袋部が設けられ、毛布本体を上掛けしたときの使用者側の面であって、上掛けして袖部材に腕通ししたときの使用者の足に対応する部分となる毛布本体の下部側に、使用者の足を差し入れできる開放部分がある足入れ用袋部が設けられていることを特徴とする毛布を提供して、上記課題を解消するものである。
【００１２】
そして、本考案では、上記袖部材に腕通しして毛布本体を上掛けするときの肩掛けする側の辺を天としこの天となる辺と対向する辺を地とする天地方向において、上記足入れ用袋部の位置は、上記袋部の位置に対して前記地となる辺側にあって、袋部の位置と足入れ用袋部の上記開放部分の位置とが非オーバーラップ状態で天地方向で離間しているものとすることが良好である。
【考案の効果】
【００１３】
本考案によれば、足を入れる足入れ用袋部を有していることから、使用者の足をこの袋部に差し入れるという簡単な行為によって足先周りが包まれる状態となり、仮に足先を動かすことがあってもその包み込みの状態が維持されるようになる。また、袖部材を有する毛布において、その袖部材の袖口が及ぶ位置に袋部が設けられているものにあっては、使用者が袖口から出した手先をその袋部に入れることができ、手先の包み込み状態もその袋部にて形成でき、手先の冷えを抑える部分を有した毛布を簡易な構成で得られるようになる。そして、袋部に対して前記足入れ用袋部が毛布本体の地となる辺側にあり、この両者の位置が毛布本体の天地方向でオーバーラップせずに離間しているため、上掛けして使用している際、使用者は、目視できる袋部の位置に対して、天地方向での地となる辺側となる方向に足入れ用袋部が位置していることが簡単に判断でき、直接足入れ用袋部を確認しなくとも足先を差し入れることができるようになり、さらに、腰掛け姿勢で使用している場合などでは、袋部に手を入れてその袋部側からの操作により地側の部分を移動させて足入れ用袋部を足位置に合わせることができるなど、使い勝手がよいものとなる。
【図面の簡単な説明】
【００１４】
【図１】本考案に係る毛布の一例を袖部材配設側の面で示す説明図である。
【図２】同じく一例を足入れ用袋部が配設された面で示す説明図である。
【図３】立位姿勢での着用を使用者正面側から見た状態で示す説明図である。
【図４】同じく立位姿勢での着用を使用者背面側から見た状態で示す説明図である。
【図５】袋部に手先を差し入れている状態を示す説明図である。
【図６】足入れ用袋部に足先を入れた状態の一例を示す説明図である。
【考案を実施するための形態】
【００１５】
つぎに本考案を図１から図６に示す実施の形態に基づいて詳細に説明する。
図中１は椅子に腰掛けた姿勢や、ソファに横座りして脚を伸ばしたり曲げたりした姿勢で上掛けとして使用することのできる毛布で、この毛布１は図１に示されているように略方形の毛布本体２とこの毛布本体２と同じ素材を用いた対の袖部材３とからなり、同じく毛布本体２と同じ素材からなる面部材を毛布本体２の略中央に重ね合わせるようにして配して、両側に開放部分を有する袋部４を形成しているとともに、図２に示すように、毛布本体２と同じ素材の面部材を毛布本体２の前記袋部４が位置している面とは反対の面での毛布本体２の下部側に重ね合わせるようにして配して毛布本体２の中央側の一辺を開放部分５０とした足入れ用袋部５を形成しているものである。
【００１６】
上記毛布本体２は、この毛布本体２を上記姿勢で使用者が上掛けするときの両肩口に掛ける一辺６を天とし、毛布本体２の中央よりは前記一辺６に寄った位置で、かつその一辺６の中央と毛布本体２の中心を通る中心線を対称軸として対称位置に、上掛け使用する使用者が腕入れできる孔７が対にして設けられている。そして、前記孔７は毛布１の使用者として予め設定された体型での使用者の肩位置に対応しているものであり、使用者として大人の体型が選択されているのであれば、平均的な大人体型から算出された肩幅に応じて二つの孔７の距離が予め定められるものである。
【００１７】
そして、孔７それぞれに上記袖部材３が取り付けられている。この袖部材３は、毛布本体２を上掛けしたときの使用者側の面とは反対側となる面に配置されて、上掛けした使用者が孔７から袖部材７に腕通しできるように設けられている。このように毛布１は袖付きのものであり、椅子に腰掛けたりソファに横たえたりした姿勢の使用者が自分自身の前面に上掛けすることで保温を図ることができ、毛布本体２の孔７側の一辺６、すなわち毛布本体２の天側を使用者の両肩口に掛け、袖部材３に両腕を通すようにして使用者の前面に毛布１を配すれば、使用者は肩口から毛布がずれ落ちることなく腕を自由に動かすことができる。図３から図５は使用を判り易くするために立位姿勢で着用して腕通しした状態を示している。
【００１８】
この袖付きの毛布１には、上述したように毛布本体２の袖部材が配されている側の面であって、図示の例ではその毛布本体２のほぼ中央部分に袋部４が設けられており、毛布本体２の素材と同一の面部材を縫い付けるなどして形成されている。そして、この袋部４は両側に使用者が手先を出し入れできる開口８が位置していて、前記袖部材３が取り付けられている上記孔７からの距離で長くとも袖部材３の袖口が達する位置に前記開口８が配されるようにしている。このため、毛布１を着用する使用者が袖部材３に腕を通してその袖口から出した手先を前記袋部４に差し入れた場合でも、図５に示すように腕の一部が袖部材３から表出しないようになり、保温効果が損なわれないようにしている。
【００１９】
さらにこの袖付きの毛布１には、上述したように使用者が上掛けしたときに足先を入れることのできる足入れ用袋部５を有している。図２に示すように、この足入れ用袋部５は、毛布本体２を上掛けしたときのその毛布本体２の使用者側の面であって、上掛けして袖部材に腕通しした使用者の足に対応する部分となる毛布本体の下部側（上記天となる一辺に対向する辺側）に、毛布本体２と同じ素材である面部材を縫い付けるなどして配することにより形成されており、毛布本体２の中央側となる位置にある一辺部分を使用者の足が差し入れできる上記開放部分５０としている（図６）。このように毛布１は、足入れ用袋部５を有しているため、上掛けした使用者が足先をその足入れ用袋部５に入れることで、仮に着座時に無意識に足先を動かしてもその足先周りが毛布で包まれている状態が維持でき、保温効果が良好になる。
【００２０】
本実施例の毛布１では、上記袖部材３に腕通しして毛布本体２を上掛けするときの肩掛けする側の一辺６を天としこの天となる一辺６と対向する一辺９を地とする天地方向において、毛布本体の上掛けときの使用者側となる面にある足入れ用袋部５の位置は、毛布本体の上掛けときの使用者側とは軟体側の面にある上記袋部４の位置に対して前記地となる一辺９側にあって、袋部４の位置と足入れ用袋部５の上記開放部分５０の位置とが非オーバーラップ状態で天地方向で離間しているものとなっている。そのため、上述したように、上掛けして使用している際、使用者は、足入れ用袋部が見えなくとも、目視できる袋部４の位置から、毛布本体２の天地方向での地となる辺側となる方向に足入れ用袋部５が位置していることが判断できる。よって、毛布本体２の足が接している部分をめくり上げて直接足入れ用袋部５の位置を確認しなくとも足先を差し入れることができるようになり、さらに、腰掛け姿勢で使用している場合などでは、袋部に手を入れてその袋部側からの操作により地側の部分を移動させて足入れ用袋部を足位置に合わせることができる。
【００２１】
上記足入れ用袋部５は、毛布１における足入れ用袋部５以外の部分を、この足入れ用袋部５に重なる背面側の位置で足入れ用袋部と平面視形状がほぼ同等となるまで折り畳み、そしてその足入れ用袋部５の内外を反転させながら折り畳み部分を包み込むようにすることで、厚みのあるクッションや枕とすることができ、毛布１を使用しないときにこのような形態に折り畳めば収納がより簡単になる。
【符号の説明】
【００２２】
１…毛布
２…毛布本体
３…袖部材
４…袋部
５…足入れ用袋部
５０…開放部分
６…一辺（天）
７…孔
８…開口
９…一辺（地）
【図１】
0003159049.tif 000003
【図２】
0003159049.tif 000004
【図３】
0003159049.tif 000005
【図４】
0003159049.tif 000006
【図５】
0003159049.tif 000007
【図６】
0003159049.tif 000008